(57)【要約】      （修正有）【課題】汎用性のある通信規格に準拠して、コンテンツ情報の品質を適正化する。【解決手段】送信部が、処理可能な画像品質のうち、予め定められた優先度が最も上の第１の品質と、当該第１の品質よりも低い第２の品質とを含み、当該第１の品質よりも高い品質を含まない複数の品質を指定した最初の処理可能情報を送信装置へ送信する（ステップＳ３１）。この最初の処理可能情報に応答して送信装置から送信された設定要求情報で指定された品質よりも優先度が上の未送信品質が、当該処理可能なコンテンツ情報の品質に含まれている場合に、送信部は、未送信品質のうちで優先度が最も上の第３の品質と第２の品質とを含み、当該第３の品質よりも高い品質を含まない複数の品質を指定した次の処理可能情報を送信装置へ送信する（ステップＳ３６）。【選択図】図７
2015103941.tif 000002
【特許請求の範囲】
【請求項１】
送信装置から送信されるコンテンツ情報を受信するコンテンツ情報処理装置であって、
処理可能な前記コンテンツ情報の品質のうち、予め定められた優先度が最も上の第１の品質と、前記第１の品質よりも低い第２の品質とを含み、前記第１の品質よりも高い品質を含まない複数の品質を指定した第１処理可能情報を前記送信装置へ送信する送信部と；
前記第１処理可能情報に含まれる複数の品質のうち、前記送信装置が送信可能な品質の中で最も高い品質を指定した設定要求情報を前記送信装置から受信する受信部と；を備え、
前記送信部は、前記設定要求情報で指定された品質が前記第１の品質ではなく、かつ、前記第１処理可能情報における前記第１の品質以外の品質のいずれよりも前記優先度が上の未指定品質が、前記処理可能な前記コンテンツ情報の品質に含まれている場合に、前記未指定品質のうちで前記優先度が最も上の第３の品質と前記第２の品質とを含み、前記第３の品質よりも高い品質を含まない複数の品質を指定した第２処理可能情報を前記送信装置へ送信する、
ことを特徴とするコンテンツ情報処理装置。
【請求項２】
前記第２の品質は、前記送信装置との前記コンテンツ情報の通信の規格によって規定されている最も低い品質である、ことを特徴とする請求項１に記載のコンテンツ情報処理装置。
【請求項３】
前記送信装置による前記コンテンツ情報の送信の直前に前記受信部が前記送信装置から受信した設定要求情報において指定された品質は、前記送信装置に対応付けて記憶部に記憶され、
前記送信部は、前記記憶部内を参照し、前記送信装置に対応付けて記憶されている品質が有る場合には、前記対応付けて記憶されている品質と前記第２の品質とを指定した第３処理可能情報を、前記第１処理可能情報に代えて、前記送信装置へ送信する、
ことを特徴とする請求項１又は２に記載のコンテンツ情報処理装置。
【請求項４】
前記送信部は、
前記受信部が、前記送信装置から第１仕様要求情報を受信した場合に、前記第１処理可能情報を前記送信装置へ送信し、
前記設定要求情報で指定された品質が、前記第１の品質ではなく、かつ、前記第１処理可能情報における前記第１の品質以外の品質のいずれよりも前記優先度が上の未指定品質が、前記処理可能な前記コンテンツ情報の品質に含まれている場合に、第２仕様要求情報の送信を促す勧誘情報を前記送信装置へ送信し、
前記受信部が、前記送信装置から前記第２仕様要求情報を受信した場合に、前記第２処理可能情報を前記送信装置へ送信する、
ことを特徴とする請求項１又は２に記載のコンテンツ情報処理装置。
【請求項５】
前記勧誘情報は、前記送信装置との通信に関する切断要求情報である、ことを特徴とする請求項４に記載のコンテンツ情報処理装置。
【請求項６】
送信装置から送信されるコンテンツ情報を受信するコンテンツ情報処理装置において使用されるコンテンツ情報処理方法であって、
前記コンテンツ情報処理装置が処理可能な前記コンテンツ情報の品質のうち、予め定められた優先度が最も上の第１の品質と、前記第１の品質よりも低い第２の品質とを含み、前記第１の品質よりも高い品質を含まない複数の品質を指定した第１処理可能情報を前記送信装置へ送信する第１送信工程と；
前記第１処理可能情報に含まれる複数の品質のうち、前記送信装置が送信可能な品質の中で最も高い品質を指定した設定要求情報を前記送信装置から受信する受信工程と；
前記設定要求情報で指定された品質が前記第１の品質ではなく、かつ、前記第１処理可能情報における前記第１の品質以外の品質のいずれよりも前記優先度が上の未指定品質が、前記処理可能な前記コンテンツ情報の品質に含まれている場合に、前記未指定品質のうちで前記優先度が最も上の第３の品質と前記第２の品質とを含み、前記第３の品質よりも高い品質を含まない複数の品質を指定した第２処理可能情報を前記送信装置へ送信する第２送信工程と；
を備えることを特徴とするコンテンツ情報処理方法。
【請求項７】
送信装置から送信されるコンテンツ情報を受信するコンテンツ情報処理装置が有するコンピュータに、請求項６に記載のコンテンツ情報処理方法を実行させる、ことを特徴とするコンテンツ情報受信プログラム。
【請求項８】
送信装置から送信されるコンテンツ情報を受信するコンテンツ情報処理装置が有するコンピュータにより読み取り可能に、請求項７に記載のコンテンツ情報処理プログラムが記録されている、ことを特徴とする記録媒体。
【発明の詳細な説明】
【技術分野】
【０００１】
本発明は、コンテンツ情報処理装置、コンテンツ情報処理方法及びコンテンツ情報処理プログラム、並びに、当該コンテンツ情報処理プログラムが記録された記録媒体に関する。
【背景技術】
【０００２】
従来から、画像データ等のコンテンツのデータを、送信側デバイスから受信側デバイス（表示装置等のコンテンツ提示デバイス）へ無線伝送することが行われている。かかるコンテンツのデータの通信の技術として、送信側デバイスからコンテンツのデータを送信する際に、コンテンツに応じてコンテンツデータの圧縮率を変更する技術がある（特許文献１参照（以下、「従来例」という）。
【０００３】
この従来例の技術では、迅速な応答を要求されるコンテンツの場合には、伝送されるデータ量は多くなるが、データ展開負荷が軽くなるように、コンテンツのデータの圧縮率を低くする。また、従来例の技術では、迅速な応答を要求されないコンテンツの場合には、データ展開負荷は重くなるが、伝送されるデータ量は少なくなるように、コンテンツのデータの圧縮率を高くする。このようにコンテンツデータの圧縮率をコンテンツに応じて変更することにより、従来例の技術では、迅速な応答が要求されるコンテンツの場合の受信側デバイスにおけるコンテンツのデータに関する展開処理負荷の軽減と、迅速な応答を要求されないコンテンツの場合における無線通信に使用される周波数帯域の占有の抑制とを図るようになっている。
【０００４】
また、近年、音声データや画像データに関する新たな無線伝送方式として、Wi-Fi Allianceで規定されているMiracastという規格（以下、「Wi-Fi CERTIFIED Miracast 規格」と記す）が策定された。このWi-Fi CERTIFIED Miracast 規格では、音声や画像のコンテンツのデータを送信側デバイス（ソースデバイス）から受信側デバイス（シンクデバイス）へ送信する際に、ソースデバイス及びシンクデバイスの双方で対応可能なコンテンツ品質のうちで最良（例えば、画像データについては、解像度が最も高い等）の品質のデータが送信対象となるようになっている。
【０００５】
なお、Wi-Fi CERTIFIED Miracast 規格では、ソースデバイスは、コンテンツのデータの送信に先立って、シンクデバイスが対応可能なコンテンツ品質を取得したうえで、送信するコンテンツの品質を選択する。そして、ソースデバイスは、選択された品質を指定した設定要求をシンクデバイスに対して行うようになっている。
【先行技術文献】
【特許文献】
【０００６】
【特許文献１】特開２０１１−１０９４９０号公報
【発明の概要】
【発明が解決しようとする課題】
【０００７】
上述した従来例の技術では、受信側デバイスが、送信側デバイスから送信される可能性があるコンテンツのデータの圧縮率に対応できるようになっている。こうした送信側デバイスから送信される可能性があるコンテンツのデータに極力対応できるようにすることは、汎用的な受信側デバイスの設計に際して一般的に行われていることである。かかる設計がコンテンツの品質に関して行われたWi-Fi CERTIFIED Miracast 規格に準拠するシンクデバイスに対しては、通常、ソースデバイスが送信可能なコンテンツデータのうちで最良の品質のコンテンツのデータが、ソースデバイスから送信されることになる。ここで、最良の品質のコンテンツのデータは、データ量が最も多いものとなる。
【０００８】
このため、ソースデバイスがシンクデバイスのコンテンツ提示能力に整合した品質のコンテンツデータを送信可能であっても、ソースデバイスが当該コンテンツ提示能力に対して過剰な品質のコンテンツのデータを送信してしまう事態が発生し得る。こうした事態が発生すると、シンクデバイスの処理負荷が上がってしまったり、無線伝送に使用される周波数帯の占有が抑制できなかったりすることになる。
【０００９】
そこで、Wi-Fi CERTIFIED Miracast 規格に準拠しつつ、ソースデバイスからシンクデバイスへ送信されるコンテンツの品質を、シンクデバイスが主導して適性化できる技術が望まれている。かかる要請に応えることが、本発明が解決すべき課題の一つとして挙げられる。
【課題を解決するための手段】
【００１０】
請求項１に記載の発明は、送信装置から送信されるコンテンツ情報を受信するコンテンツ情報処理装置であって、処理可能な前記コンテンツ情報の品質のうち、予め定められた優先度が最も上の第１の品質と、前記第１の品質よりも低い第２の品質とを含み、前記第１の品質よりも高い品質を含まない複数の品質を指定した第１処理可能情報を前記送信装置へ送信する送信部と；前記第１処理可能情報に含まれる複数の品質のうち、前記送信装置が送信可能な品質の中で最も高い品質を指定した設定要求情報を前記送信装置から受信する受信部と；を備え、前記送信部は、前記設定要求情報で指定された品質が前記第１の品質ではなく、かつ、前記第１処理可能情報における前記第１の品質以外の品質のいずれよりも前記優先度が上の未指定品質が、前記処理可能な前記コンテンツ情報の品質に含まれている場合に、前記未指定品質のうちで前記優先度が最も上の第３の品質と前記第２の品質とを含み、前記第３の品質よりも高い品質を含まない複数の品質を指定した第２処理可能情報を前記送信装置へ送信する、ことを特徴とするコンテンツ情報処理装置である。
【００１１】
請求項６に記載の発明は、送信装置から送信されるコンテンツ情報を受信するコンテンツ情報処理装置において使用されるコンテンツ情報処理方法であって、前記コンテンツ情報処理装置が処理可能な前記コンテンツ情報の品質のうち、予め定められた優先度が最も上の第１の品質と、前記第１の品質よりも低い第２の品質とを含み、前記第１の品質よりも高い品質を含まない複数の品質を指定した第１処理可能情報を前記送信装置へ送信する第１送信工程と；前記第１処理可能情報に含まれる複数の品質のうち、前記送信装置が送信可能な品質の中で最も高い品質を指定した設定要求情報を前記送信装置から受信する受信工程と；前記設定要求情報で指定された品質が前記第１の品質ではなく、かつ、前記第１処理可能情報における前記第１の品質以外の品質のいずれよりも前記優先度が上の未指定品質が、前記処理可能な前記コンテンツ情報の品質に含まれている場合に、前記未指定品質のうちで前記優先度が最も上の第３の品質と前記第２の品質とを含み、前記第３の品質よりも高い品質を含まない複数の品質を指定した第２処理可能情報を前記送信装置へ送信する第２送信工程と；を備えることを特徴とするコンテンツ情報処理方法である。
【００１２】
請求項７に記載の発明は、送信装置から送信されるコンテンツ情報を受信するコンテンツ情報処理装置が有するコンピュータに、請求項６に記載のコンテンツ情報処理方法を実行させる、ことを特徴とするコンテンツ情報受信プログラムである。
【００１３】
請求項８に記載の発明は、送信装置から送信されるコンテンツ情報を受信するコンテンツ情報処理装置が有するコンピュータにより読み取り可能に、請求項７に記載のコンテンツ情報処理プログラムが記録されている、ことを特徴とする記録媒体である。
【図面の簡単な説明】
【００１４】
【図１】本発明の一実施形態に係るコンテンツ情報処理装置の構成を概略的に示すブロック図である。
【図２】図１の送信装置の記憶部に記憶される情報を説明するための図である。
【図３】図１のコンテンツ情報処理装置の記憶部に記憶される情報を説明するための図である。
【図４】図１のコンテンツ情報処理装置の動作を説明するためのシーケンス図である。
【図５】図４の画像品質調停情報を説明するためのシーケンス図である。
【図６】図５の画像品質調停処理を説明するためのフローチャートである。
【図７】図６の第１調停処理を説明するためのフローチャートである。
【図８】図６の第２調停処理を説明するためのフローチャートである。
【図９】図７の第１調停処理でコンテンツ情報処理装置が送受信する情報の例を説明するための図（その１）である。
【図１０】図７の第１調停処理でコンテンツ情報処理装置が送受信する情報の例を説明するための図（その２）である。
【図１１】図７の第１調停処理でコンテンツ情報処理装置が送受信する情報の例を説明するための図（その３）である。
【図１２】図８の第２調停処理でコンテンツ情報処理装置が送受信する情報の例を説明するための図（その１）である。
【図１３】図８の第２調停処理でコンテンツ情報処理装置が送受信する情報の例を説明するための図（その２）である。
【発明を実施するための形態】
【００１５】
以下、本発明の一実施形態を、図１〜図１３を参照して説明する。なお、以下の説明及び図面では、同一又は同等の要素には同一の符号を付し、重複する説明を省略する。
【００１６】
［構成］
図１には、一実施形態に係るコンテンツ情報処理装置１００の構成が概略的に示されている。この図１に示されるように、コンテンツ情報処理装置１００は、送信装置２００及び表示装置３００と接続されている。
【００１７】
ここで、コンテンツ情報処理装置１００と送信装置２００との間では、「Wi-Fi CERTIFIED Miracast 規格」に従って、１対１の無線通信を行う。かかるコンテンツ情報処理装置１００と送信装置２００との間における無線通信では、送信装置２００が、「Wi-Fi CERTIFIED Miracast 規格」において規定される「ソースデバイス」として機能するとともに、コンテンツ情報処理装置１００が、「Wi-Fi CERTIFIED Miracast 規格」において規定される「シンクデバイス」として機能する。
【００１８】
また、コンテンツ情報処理装置１００と表示装置３００との間は、本実施形態では、有線接続されている。そして、当該有線接続を介して、コンテンツ情報処理装置１００から表示装置３００へ表示データが伝送される。
【００１９】
上記の送信装置２００は、記憶部２１０を備えて構成されている。この記憶部２１０に記憶される情報については、後述する。
【００２０】
送信装置２００は、上述したように、コンテンツ情報処理装置１００との間で、「ソースデバイス」として、「Wi-Fi CERTIFIED Miracast 規格」に従って、１対１の無線通信を行う。こうした無線通信では、接続セットアップの確立のための通信、画像品質の調停（ネゴシエーション）のための通信、及び、画像のコンテンツ情報の伝送のための通信が含まれている。
【００２１】
ここで、接続セットアップの確立のための通信により、コンテンツ情報処理装置１００と送信装置２００との１対１通信の状態が確立される。なお、接続セットアップの確立のための通信において、送信装置２００がコンテンツ情報処理装置１００のＭＡＣ（Media Access Control）アドレスを認識するとともに、コンテンツ情報処理装置１００が送信装置２００のＭＡＣアドレスを認識するようになっている。
【００２２】
また、画像品質の調停のための通信により、送信装置２００からコンテンツ情報処理装置１００へ送信されるコンテンツ情報の品質が決定される。なお、画像品質の調停のための通信により、コンテンツ情報処理装置１００と送信装置２００との間におけるセッションが確立される。
【００２３】
なお、後述するように、画像品質の調停のための通信において送信装置２００から送信される情報には仕様要求情報及び設定要求情報が含まれる。また、後述するように、画像品質の調停のための通信においてコンテンツ情報処理装置１００から送信される情報には処理可能情報が含まれる。
【００２４】
本実施形態では、画像品質の調停のための通信においてコンテンツ情報処理装置１００から送信される情報には、確立されているセッションの切断要求情報が含まれる。かかる切断要求情報を送信装置が受信すると、コンテンツ情報処理装置１００と送信装置２００との間では、新たな画像品質の調停のための通信が最初から開始されるようになっている。
【００２５】
画像のコンテンツ情報の伝送のための通信により、画像品質の調停のための通信の結果として決定された品質のコンテンツ情報が、送信装置２００からコンテンツ情報処理装置１００へ送信される。なお、送信装置２００からコンテンツ情報処理装置１００へ送信されるコンテンツ情報は、送信装置２００における不図示の入力部を利用して、利用者がコンテンツ情報を指定することにより定まる。かかるコンテンツ情報の指定がなされると、上述した接続セットアップの確立のための通信、画像品質の調停（ネゴシエーション）のための通信、及び、画像のコンテンツ情報の伝送のための通信が順次行われる。
【００２６】
上記の表示装置３００は、例えば、液晶パネル、有機ＥＬ（Electro Luminescence）パネル、ＰＤＰ（Plasma Display Panel）等の表示デバイスを備えて構成されている。この表示装置３００は、コンテンツ情報処理装置１００から送信された表示データを受信する。そして、表示装置３００は、当該表示データに従って、コンテンツ画像を表示する。
【００２７】
＜コンテンツ情報処理装置１００の構成＞
上記のコンテンツ情報処理装置１００は、図１に示されるように、記憶部１１０と、無線送受信部１２０とを備えている。また、コンテンツ情報処理装置１００は、受信部１３０と、送信部１４０と、表示制御部１５０とを備えている。
【００２８】
上記の記憶部１１０は、不揮発性の記憶素子を備えており、送信部１４０が利用する情報を記憶する。この記憶部１１０には、送信部１４０がアクセスすることができる。
【００２９】
なお、記憶部１１０が記憶する情報については、後述する。
【００３０】
上記の無線送受信部１２０は、送信装置２００から送信された無線信号を受信する。そして、無線送受信部１２０は、当該受信した無線信号をデジタル形式の受信情報に変換し、変換された受信情報を受信部１３０へ送る。
【００３１】
また、無線送受信部１２０は、送信部１４０から送られたデジタル形式の送信情報を受ける。そして、無線送受信部１２０は、当該送信情報を無線信号に変換し、変換された無線信号を送信装置２００へ送信する。
【００３２】
上記の受信部１３０は、無線送受信部１２０から送られた受信情報を受ける。かかる受信情報には、上述した仕様要求情報及び設定要求情報を含むコンテンツ情報の伝送のための情報と、コンテンツ情報が含まれる。
【００３３】
受信情報がコンテンツ情報の伝送のための情報であった場合には、受信部１３０は、当該通信制御情報を送信部１４０へ送る。また、受信情報がコンテンツ情報であった場合には、受信部１３０は当該コンテンツ情報を表示制御部１５０へ送る。
【００３４】
上記の送信部１４０は、受信部１３０から送られた通信制御情報を受ける。そして、送信部１４０は、当該通信制御情報に応答して、又は、必要に応じて送信情報を生成し、生成された送信情報を無線送受信部１２０へ送る。なお、送信情報は、上述した処理可能情報及び切断要求情報等のコンテンツ情報の伝送のための情報となっている。
【００３５】
また、送信部１４０は、上述した画像のコンテンツ情報の伝送のための通信結果に基づいて、送信装置２００からコンテンツ情報処理装置１００へ送信されるコンテンツ情報の品質の調停結果、すなわち、決定されたコンテンツ情報の品質を特定する。そして、送信部１４０は、特定された品質の情報を表示制御部１５０へ通知する。
【００３６】
上記の表示制御部１５０は、送信部１４０から通知された当該特定された品質の情報、及び、受信部１３０から送られたコンテンツ情報を受ける。引き続き、表示制御部１５０は、当該特定された品質の情報を利用して、コンテンツ情報から表示データを生成する。そして、表示制御部１５０は、生成された表示データを表示装置３００へ送信する。
【００３７】
《記憶部２１０が記憶する情報》
上述した記憶部２１０が記憶する情報について説明する。
【００３８】
図２に示されるように、記憶部２１０が記憶する情報には、コンテンツ情報群２１１と、品質テーブル２１２とが含まれている。
【００３９】
上記のコンテンツ情報群２１１には、少なくとも１個の画像のコンテンツ情報＃ｊ（ｊ＝１，…）が含まれている。こうした画像のコンテンツ情報は、送信装置２００内に予め記憶されていたり、不図示の外部のコンテンツサーバからのダウンロード後に記憶されたりする。
【００４０】
上記の品質テーブル２１２には、送信装置２００が送信することができるコンテンツ情報の品質ＱＳm（ｍ＝１〜Ｍ）が登録されている。品質ＱＳMは、最低品質Ｄとなっており、品質ＱＳ1〜ＱＳM-1は、最低品質Ｄよりも高い品質となっている。また、品質ＱＳmの添字ｍが小さいほど、高い品質となっている。
【００４１】
《記憶部１１０が記憶する情報》
上述した記憶部１１０が記憶する情報について説明する。
【００４２】
図３に示されるように、記憶部１１０が記憶する情報には、優先度テーブル１１１と、調停実績テーブル１１２とが含まれている。
【００４３】
上記の優先度テーブル１１１には、表示装置３００に表示させることができる表示画像の品質ＱＲn（ｎ＝１〜Ｎ）と、優先度ＰＲnとが関連付けられて登録されている。ここで、品質ＱＲ1〜ＱＲNは、表示制御部１５０が品質ＱＲnのコンテンツ情報から表示装置３００に画像表示させるための表示データを生成することができる全ての品質となっている。
【００４４】
なお、品質ＱＲNは、上述した最低品質Ｄとなっており、品質ＱＲ1〜ＱＲN-1は、最低品質Ｄよりも高い品質となっている。また、品質ＱＲnの添字ｎが小さいほど、高い品質となっている。
【００４５】
また、優先度ＰＲnは、表示装置３００の表示能力、表示画像の鮮明さ、コンテンツ情報に基づく表示データの生成に際しての演算量に基づいて、表示装置３００の表示能力にとってコンテンツ情報の品質が過剰とならないようにすることを主な観点として、予め定められる。なお、本実施形態では、コンテンツ情報処理１００が備える不図示の入力部を使用して利用者が操作入力を行うことにより、優先度ＰＲnが優先度テーブル１１１内に登録されるようになっている。また、優先度ＰＲnは、その値が小さいほど優先度が上となっている。
【００４６】
上記の調停実績テーブル１１２には、コンテンツ情報を受信した実績（以下、「調停実績」という）がある送信装置の識別子ＭＡkと、その際に設定された品質ＱＰkとが関連付けられて登録されている。本実施形態では、識別子ＭＡkにはＭＡＣアドレスを採用するようにしている。
【００４７】
なお、調停実績がある送信装置の識別子ＭＡk及び品質ＱＰkは、調停実績の時間順に、調停実績テーブル１１２内に登録されるようになっている。このため、品質ＱＰkの添字ｋは、品質の高さを示してはいない。
【００４８】
［動作］
次に、上記のように構成されたコンテンツ情報処理装置１００の動作について説明する。
【００４９】
図４には、コンテンツ情報処理装置１００の動作が、シーケンス図にて示されている。この図４に示されるように、コンテンツ情報処理装置１００は、まず、送信装置２００との間で、１対１通信を行うための接続セットアップの確立のための通信を行う。かかる接続セットアップの確立のための通信に際して、コンテンツ情報処理装置１００は、送信装置２００との間で、「Wi-Fi CERTIFIED Miracast 規格」において規定されている接続セットアップ確立のための情報の送受信を行う。
【００５０】
なお、上述したように、接続セットアップの確立のための通信を行うことにより、コンテンツ情報処理装置１００が送信装置２００のＭＡＣアドレスを認識する。
【００５１】
接続セットアップが確立すると、コンテンツ情報処理装置１００は、ステップＳ１０において、画像品質調停処理を実行し、送信装置２００との間で、画像品質の調停のための通信を行う。かかる画像品質の調停のための通信に際して、コンテンツ情報処理装置１００は、送信装置２００との間で、「Wi-Fi CERTIFIED Miracast 規格」において規定されている画像品質の調停のための情報の送受信を行う。
【００５２】
上述したように、画像品質の調停のための通信により、送信装置２００からコンテンツ情報処理装置１００へ送信されるコンテンツ情報の品質が決定される。また、画像品質の調停のための通信により、コンテンツ情報処理装置１００と送信装置２００との間におけるセッションが確立される。
【００５３】
なお、画像品質の調停のための通信において送信装置２００から送信される情報には仕様要求情報及び設定要求情報が含まれている。また、画像品質の調停のための通信においてコンテンツ情報処理装置１００から送信される情報には処理可能情報及び切断要求情報が含まれている。ここで、切断要求情報は、コンテンツ情報処理装置１００が、必要に応じて、送信装置２００へ送信する。
【００５４】
本実施形態では、ステップＳ１０の画像品質調停処理は、コンテンツ情報処理装置１００における送信部１４０が、主導して行うようになっている。かかる画像品質調停処理に際して、送信部１４０は、無線送受信部１２０及び受信部１３０を介して、送信装置２００から送られた画像品質調停のための情報を受信するとともに、無線送受信部１２０を介して、送信装置２００へ画像品質調停のための情報を送信する。
【００５５】
なお、ステップＳ１０の処理の詳細については、後述する。
【００５６】
ステップＳ１０の処理が終了すると、コンテンツ情報処理装置１００は、ステップＳ６０において、表示データ生成処理を実行する。かかる表示データ生成処理において、コンテンツ情報処理装置１００では、まず、表示制御部１５０が、無線送受信部１２０及び受信部１３０を介して、送信装置２００から送信されたコンテンツ情報を受信する。引き続き、表示制御部１５０は、直前の画像品質の調停のための通信により決定された品質の情報を利用して、コンテンツ情報から表示データを生成する。そして、表示制御部１５０は、生成された表示データを表示装置３００へ送信する。この結果、送信装置２００から送られたコンテンツ情報に対応する画像が、表示装置３００に表示される。
【００５７】
＜ステップＳ１０の画像品質調停処理において送受信される情報＞
次に、ステップＳ１０においてコンテンツ情報処理装置１００により実行される画像品質調停処理において、送信装置２００との間で送受信される情報について説明する。
【００５８】
図５には、画像品質の調停のための通信における情報の送受信のシーケンスが示されている。この図５に示されるように、画像品質調停処理に際して、コンテンツ情報処理装置１００は、送信装置２００から送信された仕様要求情報及び設定要求情報を受信する。また、コンテンツ情報処理装置１００は、処理可能情報、及び、必要に応じて切断要求情報を送信装置２００へ送信する。
【００５９】
なお、画像品質調停処理においては、上述した仕様要求情報、処理可能情報、設定要求情報及び切断要求情報以外にも「Wi-Fi CERTIFIED Miracast 規格」において規定されている情報の送受信が適宜行われるようになっている。
【００６０】
＜ステップＳ１０の画像品質調停処理＞
次いで、ステップＳ１０の画像品質調停処理について、送信部１４０が実行する処理に主に着目して、より詳しく説明する。
【００６１】
なお、送信部１４０は、送信装置２００から送信された仕様要求情報及び設定要求情報を、無線送受信部１２０及び受信部１３０を介して受信する。また、送信部１４０は、処理可能情報及び切断要求情報を、無線送受信部１２０を介して、送信装置２００へ送信する。
【００６２】
画像品質調停処理に際しては、図６に示されるように、まず、ステップＳ２１において、送信部１４０が、送信装置２００から送信された仕様要求情報（第１仕様要求情報）を受信したか否かを判定する。ステップＳ２１における判定の結果が否定的であった場合（ステップＳ２１：Ｎ）には、ステップＳ２１の処理が繰り返される。
【００６３】
仕様要求情報を受信し、ステップＳ２１における判定の結果が肯定的となると（ステップＳ２１：Ｙ）、処理はステップＳ２２へ進む。このステップＳ２２では、送信部１４０が、記憶部１１０内の調停実績テーブル１１２を参照して、送信装置２００が調停実績のある送信装置か否かを判定する。
【００６４】
ステップＳ２２における判定の結果が否定的であった場合（ステップＳ２２：Ｎ）には、処理はステップＳ２３へ進む。このステップＳ２３では、送信部１４０が、第１調停処理を実行する。そして、ステップＳ２３の処理が終了すると、ステップＳ１０の処理が終了し、上述した図４のステップＳ６０へ進む。
【００６５】
なお、ステップＳ２３の第１調停処理については、後述する。
【００６６】
ステップＳ２２における判定の結果が肯定的であった場合（ステップＳ２２：Ｙ）には、処理はステップＳ２４へ進む。このステップＳ２４では、送信部１４０が、第２調停処理を実行する。そして、ステップＳ２４の処理が終了すると、ステップＳ１０の処理が終了し、上述した図４のステップＳ６０へ進む。
【００６７】
なお、ステップＳ２４の第２調停処理については、後述する。
【００６８】
＜ステップＳ２３の第１調停処理＞
次に、ステップＳ２３の第１調停処理について説明する。
【００６９】
第１調停処理に際しては、図７に示されるように、まず、ステップＳ３１において、送信部１４０が、今回のコンテンツ情報の伝送のための最初の処理可能情報（第１処理可能情報）を生成する。かかる最初の処理可能情報の生成に際して、送信部１４０は、記憶部１１０内の優先度テーブル１１１を参照して、優先度が最も上の品質を特定する。引き続き、送信部１４０は、次の（ａ）及び（ｂ）の双方の条件を満たす品質を抽出する第１抽出処理を行う。
（ａ）特定された品質よりも低い品質であること
（ｂ）特定された品質よりも高い品質のいずれの優先度よりも優先度が上であること
【００７０】
なお、特定された品質が優先度テーブル１１１における最高品質ＱＲ1であった場合（図３参照）には、最高品質ＱＲ1以外の全ての品質ＱＲ2〜ＱＲN（＝Ｄ）が抽出されることになる。
【００７１】
次いで、送信部１４０は、当該特定された品質、当該抽出された品質、及び、抽出された品質に最低品質Ｄが含まれていない場合には最低品質Ｄを指定した最初の処理可能情報を生成する。そして、送信部１４０は、生成された処理可能情報を送信装置２００へ送信する。
【００７２】
なお、送信装置２００は、処理可能情報を受信すると、当該処理可能情報において指定され、かつ、記憶部２１０内の品質テーブル２１２に登録されている品質の中で最高の品質を指定した設定要求情報をコンテンツ情報処理装置１００へ送信する。
【００７３】
次に、ステップＳ３２において、送信部１４０は、送信装置２００から送られた設定要求情報を受信したか否かを判定する。ステップＳ３２における判定の結果が否定的であった場合（ステップＳ３２：Ｎ）には、ステップＳ３２の処理が繰り返される。
【００７４】
設定要求情報を受信し、ステップＳ３２における判定の結果が肯定的となると（ステップＳ３２：Ｙ）、処理はステップＳ３３へ進む。このステップＳ３３では、送信部１４０が、設定要求情報において指定された品質（以下、「設定要求品質」ともいう）よりも優先度が上の未指定品質（今回のコンテンツ情報伝送に際して、処理可能情報において指定されたことのない品質）があるか否かを判定する。ステップＳ３３における判定の結果が否定的であった場合（ステップＳ３３：Ｎ）には、処理は後述するステップＳ３９へ進む。
【００７５】
ステップＳ３３における判定の結果が肯定的であった場合（ステップＳ３３：Ｙ）には、処理はステップＳ３４へ進む。このステップＳ３４では、送信部１４０が、切断要求情報を送信装置２００へ送信する。
【００７６】
なお、送信装置２００は、切断要求情報を受信すると、再度、仕様要求情報をコンテンツ情報処理装置１００へ送信する。
【００７７】
次に、ステップＳ３５において、送信部１４０が、送信装置２００から送信された新たな仕様要求情報（第２仕様要求情報）を受信したか否かを判定する。ステップＳ３５における判定の結果が否定的であった場合（ステップＳ３５：Ｎ）には、ステップＳ３５の処理が繰り返される。
【００７８】
新たな仕様要求情報を受信し、ステップＳ３５における判定の結果が肯定的となると（ステップＳ３５：Ｙ）、処理はステップＳ３６へ進む。このステップＳ３６では、送信部１４０が、新たな処理可能情報（第２処理可能情報）を生成する。かかる新たな処理可能情報の生成に際して、送信部１４０は、記憶部１１０内の優先度テーブル１１１を参照して、未指定品質の中で最も優先度が上の品質を特定する。引き続き、送信部１４０は、次の（ｃ）及び（ｄ）の条件の双方を満たす品質を抽出する第２抽出処理を行う。
（ｃ）特定された未指定品質よりも低い品質であること
（ｄ）特定された未指定品質よりも高い未指定品質のいずれよりも優先度が上の未指定品質であること
【００７９】
次いで、送信部１４０は、当該特定された未指定品質、当該抽出された未指定品質及び最低品質Ｄを指定した新たな処理可能情報を生成する。そして、送信部１４０は、生成された新たな処理可能情報を送信装置２００へ送信する。
【００８０】
次に、ステップＳ３７において、送信部１４０は、送信装置２００から送信された新たな設定要求情報を受信したか否かを判定する。ステップＳ３７における判定の結果が否定的であった場合（ステップＳ３７：Ｎ）には、ステップＳ３７の処理が繰り返される。
【００８１】
新たな設定要求情報を受信し、ステップＳ３７における判定の結果が肯定的となると（ステップＳ３７：Ｙ）、処理はステップＳ３８へ進む。このステップＳ３８では、送信部１４０が、今回の新たな設定要求情報で指定された品質よりも優先度が上の未指定品質があるか否かを判定する。ステップＳ３８における判定の結果が肯定的であった場合（ステップＳ３８：Ｙ）には、処理はステップＳ３４へ戻る。以後、ステップＳ３８における判定の結果が否定的となるまで、ステップＳ３４〜Ｓ３８までの処理が繰り返される。
【００８２】
ステップＳ３８における判定の結果が否定的であった場合（ステップＳ３８：Ｎ）には、処理はステップＳ３９へ進む。このステップＳ３９では、送信部１４０が、送信装置２００のＭＡＣアドレスと、今回のステップＳ２３の処理で最後に受信した設定要求情報で指定された品質とを関連付けて、調停実績テーブル１１２に追加登録することにより、調停実績テーブル１１２を更新する。
【００８３】
次いで、ステップＳ４０において、送信部１４０が、最後に受信した設定要求情報で指定された品質を、画像品質調停処理の結果として決定された品質であると特定し、特定された品質を表示制御部１５０へ通知する。
【００８４】
この後、ステップＳ２３が終了する。この結果、上述したように、ステップＳ１０の画像品質調停処理が終了する。
【００８５】
＜ステップＳ２４の第２調停処理＞
次いで、ステップＳ２４の第２調停処理について説明する。
【００８６】
第２調停処理に際しては、図８に示されるように、まず、ステップＳ４１において、送信部１４０が、今回のコンテンツ情報の伝送のための最初の処理可能情報（第３処理可能情報）を生成する。かかる最初の処理可能情報の生成に際して、送信部１４０は、記憶部１１０内の調停実績テーブル１１２を参照して、送信装置２００に関連付けられている品質を特定する。
【００８７】
次いで、送信部１４０は、当該特定された品質、及び、特定された品質が最低品質Ｄではない場合には最低品質Ｄを指定した最初の処理可能情報を生成する。そして、送信部１４０は、生成された処理可能情報を送信装置２００へ送信する。
【００８８】
次に、ステップＳ４２において、送信部１４０は、送信装置２００から送信された設定要求情報を受信したか否かを判定する。ステップＳ４２における判定の結果が否定的であった場合（ステップＳ４２：Ｎ）には、ステップＳ４２の処理が繰り返される。
【００８９】
設定要求情報を受信し、ステップＳ４２における判定の結果が肯定的となると（ステップＳ４２：Ｙ）、処理はステップＳ４３へ進む。このステップＳ４３では、送信部１４０が、設定要求品質が、調停実績テーブル１１２中で送信装置２００に関連付けられている品質と同一か否かを判定する。ステップＳ４３における判定の結果が肯定的であった場合（ステップＳ４３：Ｙ）には、処理は、後述するステップＳ５０へ進む。
【００９０】
ステップＳ４３における判定の結果が否定的であった場合（ステップＳ４３：Ｎ）には、処理はステップＳ４４へ進む。このステップＳ４４では、送信部１４０が、切断要求情報を送信装置２００へ送信する。
【００９１】
次に、ステップＳ４５において、送信部１４０が、送信装置２００から送信された仕様要求情報を受信したか否かを判定する。ステップＳ４５における判定の結果が否定的であった場合（ステップＳ４５：Ｎ）には、ステップＳ４５の処理が繰り返される。
【００９２】
仕様要求情報を受信し、ステップＳ４５における判定の結果が肯定的となると（ステップＳ４５：Ｙ）、処理はステップＳ４６へ進む。このステップＳ４６では、送信部１４０が、新たな処理可能情報を生成する。かかる新たな処理可能情報の生成に際して、送信部１４０は、記憶部１１０内の優先度テーブル１１１を参照して、未指定品質の中で優先度が最も上の品質を特定する。引き続き、送信部１４０は、上述した第２抽出処理を行う。
【００９３】
次いで、送信部１４０は、当該特定された未指定品質、当該抽出された未指定品質及び最低品質Ｄを指定した新たな処理可能情報を生成する。そして、送信部１４０は、生成された処理可能情報を送信装置２００へ送信する。
【００９４】
次に、ステップＳ４７において、送信部１４０は、送信装置２００から送信された新たな設定要求情報を受信したか否かを判定する。ステップＳ４７における判定の結果が否定的であった場合（ステップＳ４７：Ｎ）には、ステップＳ４７の処理が繰り返される。
【００９５】
新たな設定要求情報を受信し、ステップＳ４７における判定の結果が肯定的となると（ステップＳ４７：Ｙ）、処理はステップＳ４８へ進む。このステップＳ４８では、送信部１４０が、今回の新たな設定要求情報で指定された品質よりも優先度が上の未指定品質があるか否かを判定する。ステップＳ４８における判定の結果が肯定的であった場合（ステップＳ４８：Ｙ）には、処理はステップＳ４４へ戻る。以後、ステップＳ４８における判定の結果が否定的となるまで、ステップＳ４４〜Ｓ４８までの処理が繰り返される。
【００９６】
ステップＳ４８における判定の結果が否定的であった場合（ステップＳ４８：Ｎ）には、処理はステップＳ４９へ進む。このステップＳ４９では、送信部１４０が、調停実績テーブル１１２において送信装置２００のＭＡＣアドレスと関連付けられている品質を、今回のステップＳ２４の処理で最後に受信した設定要求情報で指定された品質に変更することにより、調停実績テーブル１１２を更新する。
【００９７】
次いで、ステップＳ５０において、送信部１４０が、最後に受信した設定要求情報で指定された品質を、画像品質調停処理の結果として決定された品質と特定し、特定された品質を表示制御部１５０へ通知する。
【００９８】
この後、ステップＳ２４が終了する。この結果、ステップＳ１０の画像品質調停処理が終了する。
【００９９】
＜画像品質調停処理で送受信される情報内容の例＞
次に、第１調停処理及び第２調停処理で送受信される情報内容の例を説明する。
【０１００】
（第１調停処理で送受信される情報内容の例（その１））
図９には、第１調停処理で送受信される情報内容の例（その１）が示されている。この例では、コンテンツ情報処理装置１００における優先度テーブル１１１には、品質Ｑ1〜Ｑ3及び最低品質Ｄが対応する優先度に関連付けて登録されている。
【０１０１】
そして、この例では、品質の高さは、高い方から、品質Ｑ1→品質Ｑ2→品質Ｑ3→最低品質Ｄの順序となっている（後述する図１０〜１３において同じ）。また、各品質の優先度が上の方から、品質Ｑ2→品質Ｑ3→品質Ｑ1→最低品質Ｄの順序となっている。
【０１０２】
また、この例では、送信装置２００における品質テーブル２１２には、品質Ｑ2，Ｑ3及び最低品質Ｄが登録されている。
【０１０３】
この例では、画像品質調停処理において、送信装置２００から送信された最初の仕様要求情報を受信すると、コンテンツ情報処理装置１００が、上述したステップＳ３１において、最も優先度が上の品質として、品質Ｑ2を特定する。引き続き、上述した第１抽出処理を行う。この結果、品質Ｑ3が抽出される。
【０１０４】
次いで、コンテンツ情報処理装置１００は、当該特定された品質Ｑ2、当該抽出された品質Ｑ3及び最低品質Ｄを指定した最初の処理可能情報を生成する。そして、コンテンツ情報処理装置１００は、生成された最初の処理可能情報を送信装置２００へ送信する。
【０１０５】
当該最初の処理可能情報を受信すると、送信装置２００は、当該最初の処理可能情報において指定された品質Ｑ2，Ｑ3，Ｄに含まれ、かつ、品質テーブル２１２に登録されている品質Ｑ2，Ｑ3，Ｄに含まれる品質の中の最高の品質Ｑ2を指定した設定要求情報をコンテンツ情報処理装置１００へ送信する。
【０１０６】
こうして送信装置２００から送信された設定要求情報を受信したコンテンツ情報処理装置１００は、設定要求情報において指定された品質Ｑ2よりも優先度が上の未指定品質がないので、品質Ｑ2を画像品質調停処理の結果として決定された品質であると特定する。
【０１０７】
（第１調停処理で送受信される情報内容の例（その２））
図１０には、第１調停処理で送受信される情報内容の例（その２）が示されている。この例では、上述した図９の例と比べて、優先度テーブル１１１の登録内容は同様であるが、品質テーブル２１２には、品質Ｑ1，Ｑ3及び最低品質Ｄが登録されている点が異なっている。
【０１０８】
この例では、画像品質調停処理において、送信装置２００から送信された最初の仕様要求情報を受信すると、コンテンツ情報処理装置１００が、上述したステップＳ３１において、図９の例の場合と同様にして、品質Ｑ2、品質Ｑ3及び最低品質Ｄを指定した最初の処理可能情報を生成する。そして、コンテンツ情報処理装置１００は、生成された最初の処理可能情報を送信装置２００へ送信する。
【０１０９】
当該最初の処理可能情報を受信すると、送信装置２００は、当該最初の処理可能情報において指定された品質Ｑ2，Ｑ3，Ｄに含まれ、かつ、品質テーブル２１２に登録されている品質Ｑ1，Ｑ3，Ｄに含まれる品質の中の最高の品質Ｑ3を指定した設定要求情報をコンテンツ情報処理装置１００へ送信する。
【０１１０】
こうして送信装置２００から送信された設定要求情報を受信したコンテンツ情報処理装置１００は、設定要求情報において指定された品質Ｑ3よりも優先度が上の未指定品質がないので、品質Ｑ3を、画像品質調停処理の結果として決定された品質であると特定する。
【０１１１】
（第１調停処理で送受信される情報内容の例（その３））
図１１には、第１調停処理で送受信される情報内容の例（その３）が示されている。この例では、図９の例と比べて、優先度テーブル１１１における各品質の優先度が上の方から、品質Ｑ2→品質Ｑ1→品質Ｑ3→最低品質Ｄの順序となっている点が異なっている点が異なっている。また、品質テーブル２１２には、図９の例と比べて、品質Ｑ1，Ｑ3及び最低品質Ｄが登録されている点が異なっている。
【０１１２】
この例では、画像品質調停処理において、送信装置２００から送信された最初の仕様要求情報を受信すると、コンテンツ情報処理装置１００が、上述したステップＳ３１において、優先度が最も上の品質として、品質Ｑ2を特定する。引き続き、コンテンツ情報処理装置１００は、上述した第１抽出処理を行う。なお、上述した（ｂ）の条件を満たす品質はないので、この例では、当該第１抽出処理によって抽出される品質はない。
【０１１３】
次いで、コンテンツ情報処理装置１００は、当該特定された品質Ｑ2及び最低品質Ｄを指定した最初の処理可能情報を生成する。そして、コンテンツ情報処理装置１００は、生成された最初の処理可能情報を送信装置２００へ送信する。
【０１１４】
この最初の処理可能情報を受信すると、送信装置２００は、当該最初の処理可能情報において指定された品質Ｑ2，Ｄに含まれ、かつ、品質テーブル２１２に登録されている品質Ｑ1，Ｑ3，Ｄに含まれる品質の中の最高の品質Ｄを指定した設定要求情報をコンテンツ情報処理装置１００へ送信する。
【０１１５】
こうして送信装置２００から送信された設定要求情報を受信したコンテンツ情報処理装置１００は、設定要求情報において指定された品質Ｄよりも優先度が上の未指定品質Ｑ1，Ｑ3があるので、上述したステップＳ３４において、切断要求情報を送信装置２００へ送信する。この後、送信装置２００から送信された新たな仕様要求情報を受信すると、コンテンツ情報処理装置１００が、上述したステップＳ３６において、未指定品質の中で優先度が最も上の品質として、品質Ｑ1を特定する。引き続き、コンテンツ情報処理装置１００は、上述した第２抽出処理を行う。この結果、品質Ｑ3が抽出される。
【０１１６】
次いで、コンテンツ情報処理装置１００は、当該特定された品質Ｑ1、当該抽出された品質Ｑ3及び最低品質Ｄを指定した新たな処理可能情報を生成する。そして、コンテンツ情報処理装置１００は、生成された新たな処理可能情報を送信装置２００へ送信する。
【０１１７】
当該新たな処理可能情報を受信すると、送信装置２００は、当該新たな処理可能情報において指定された品質Ｑ1，Ｑ3，Ｄに含まれ、かつ、品質テーブル２１２に登録されている品質Ｑ1，Ｑ3，Ｄに含まれる品質の中の最高の品質Ｑ1を指定した新たな設定要求情報をコンテンツ情報処理装置１００へ送信する。
【０１１８】
こうして送信装置２００から送信された新たな設定要求情報を受信したコンテンツ情報処理装置１００は、新たな設定要求情報において指定された品質Ｑ1よりも優先度が上の未指定品質がないので、品質Ｑ1を画像品質調停処理の結果として決定された品質であると特定する。
【０１１９】
（第２調停処理で送受信される情報内容の例（その１））
図１２には、第２調停処理で送受信される情報内容の例（その１）が示されている。この例は、前回の送信装置２００からコンテンツ情報処理装置１００へのコンテンツ情報の伝送に際して、品質Ｑ3が採用された例となっている。
【０１２０】
この例では、優先度テーブル１１１の登録内容は、図９の例の場合と同様になっている。また、品質テーブル２１２の登録内容は、図１１の例の場合と同様になっている。
【０１２１】
この例では、画像品質調停処理において、送信装置２００から送信された最初の仕様要求情報を受信すると、コンテンツ情報処理装置１００が、上述したステップＳ４１において、調停実績テーブル１１２（図１２では不図示：後述する図１３においても同様）において送信装置２００に関連付けられている品質Ｑ3を特定する。
【０１２２】
次いで、コンテンツ情報処理装置１００は、当該特定された品質Ｑ3及び最低品質Ｄを指定した最初の処理可能情報を生成する。そして、コンテンツ情報処理装置１００は、生成された最初の処理可能情報を送信装置２００へ送信する。
【０１２３】
当該最初の処理可能情報を受信すると、送信装置２００は、当該最初の処理可能情報において指定された品質Ｑ3，Ｄに含まれ、かつ、品質テーブル２１２に登録されている品質Ｑ1，Ｑ3，Ｄに含まれる品質の中の最高の品質Ｑ3を指定した設定要求情報をコンテンツ情報処理装置１００へ送信する。
【０１２４】
こうして送信装置２００から送信された設定要求情報を受信したコンテンツ情報処理装置１００は、設定要求情報において指定された品質Ｑ3が、調停実績テーブル１１２において送信装置２００に関連付けられている品質Ｑ3と同一なので、品質Ｑ3を画像品質調停処理の結果として決定された品質であると特定する。
【０１２５】
（第２調停処理で送受信される情報内容の例（その２））
図１３には、第２調停処理で送受信される情報内容の例（その２）が示されている。この例は、前回の送信装置２００からコンテンツ情報処理装置１００へのコンテンツ情報の伝送に際して、品質Ｑ3が採用された例となっている。
【０１２６】
この例では、図１２の例と比べて、優先度テーブル１１１の登録内容は、図１２の例の場合と同様になっているが、品質テーブル２１２には、品質Ｑ1，Ｑ2及び最低品質Ｄが登録されている点が異なっている。すなわち、この例は、前回のコンテンツ情報の送信時から送信装置２００の仕様が変更された例となっている。
【０１２７】
この例では、画像品質調停処理において、送信装置２００から送信された最初の仕様要求情報を受信すると、コンテンツ情報処理装置１００が、上述したステップＳ４１において、図１２の例の場合と同様にして、品質Ｑ3及び最低品質Ｄを指定した最初の処理可能情報を生成する。そして、コンテンツ情報処理装置１００は、生成された最初の処理可能情報を送信装置２００へ送信する。
【０１２８】
当該最初の処理可能情報を受信すると、送信装置２００は、当該最初の処理可能情報において指定された品質Ｑ3，Ｄに含まれ、かつ、品質テーブル２１２に登録されている品質Ｑ1，Ｑ2，Ｄに含まれる品質の中の最高の品質Ｄを指定した設定要求情報をコンテンツ情報処理装置１００へ送信する。
【０１２９】
こうして送信装置２００から送信された設定要求情報を受信したコンテンツ情報処理装置１００は、設定要求情報において指定された品質Ｄが、調停実績テーブル１１２において送信装置２００に関連付けられている品質Ｑ3とは異なるので、上述したステップＳ４４において、切断要求情報を送信装置２００へ送信する。この後、送信装置２００から送信された新たな仕様要求情報を受信すると、コンテンツ情報処理装置１００が、上述したステップＳ４６において、未指定品質の中で優先度が最も上の品質として、品質Ｑ2を特定する。
【０１３０】
引き続き、コンテンツ情報処理装置１００は、上述した第２抽出処理を行う。なお、この例では、上述した（ｃ）の条件を満たす品質はないので、当該第２抽出処理によって抽出される品質はない。
【０１３１】
次いで、コンテンツ情報処理装置１００は、当該特定された品質Ｑ2及び最低品質Ｄを指定した新たな処理可能情報を生成する。そして、コンテンツ情報処理装置１００は、生成された新たな処理可能情報を送信装置２００へ送信する。
【０１３２】
新たな処理可能情報を受信すると、送信装置２００は、当該新たな処理可能情報において指定された品質Ｑ2，Ｄに含まれ、かつ、品質テーブル２１２に登録されている品質Ｑ1，Ｑ2，Ｄに含まれる品質の中の最高の品質Ｑ2を指定した新たな設定要求情報をコンテンツ情報処理装置１００へ送信する。
【０１３３】
こうして送信装置２００から送信された新たな設定要求情報を受信したコンテンツ情報処理装置１００は、新たな設定要求情報において指定された品質Ｑ2よりも優先度が上の未指定品質がないので、品質Ｑ2を画像品質調停処理の結果として決定された品質であると特定する。
【０１３４】
以上説明したように、本実施形態のコンテンツ情報処理装置１００では、送信部１４０が、処理可能な画像品質のうち、予め定められた優先度が最も上の第１の品質と、当該第１の品質よりも低い第２の品質とを含み、当該第１の品質よりも高い品質を含まない複数の品質を指定した最初の処理可能情報を送信装置２００へ送信する。この最初の処理可能情報に応答して送信装置２００から送信された、最初の処理可能情報に含まれる複数の品質のうち、送信装置２００が送信可能な品質の中で最も高い品質を指定した設定要求情報を受信部１３０が受信すると、当該設定要求情報が送信部１４０へ送られる。当該設定要求情報で指定された品質が第１の品質ではなく、かつ、最初の第１処理可能情報における第１の品質以外の品質のいずれよりも優先度が上の未指定品質が、当該処理可能なコンテンツ情報の品質に含まれている場合に、送信部１４０は、未指定品質のうちで優先度が最も上の第３の品質と第２の品質とを含み、当該第３の品質よりも高い品質を含まない複数の品質を指定した新たな処理可能情報を送信装置２００へ送信する。
【０１３５】
したがって、本実施形態のコンテンツ情報処理装置１００によれば、汎用性のある通信規格に準拠して、送信装置２００から送信されるコンテンツ情報の品質を、コンテンツ情報処理装置１００が主動して適正化することができる。
【０１３６】
また、本実施形態では、前回の送信装置２００からのコンテンツ情報の送信の直前に受信部１３０が受信していた場合には、当該設定要求情報において指定された品質を、送信装置２００に対応付けて記憶部１１０に記憶する。そして、送信部１４０は、記憶部１１０内を参照し、送信装置２００に対応付けて記憶されている品質が有る場合には、当該対応付けて記憶されている品質と第２の品質とを指定した処理可能情報を、最初の処理可能情報として、送信装置２００へ送信する。このため、調停実績のある送信装置２００については、高い蓋然性で、コンテンツ情報の品質の調停を、簡易に、かつ、迅速に行うことができる。
【０１３７】
また、本実施形態では、新たな処理可能情報の送信に先立って、送信部１４０が、品質の調停を中断するため、送信装置２００と間の通信におけるセッションの切断要求情報を送信装置２００へ送信する。このため、汎用性のある通信規格に準拠して、送信装置２００に対して、品質の調停を中断させた後に再開させることができる。
【０１３８】
［実施形態の変形］
本発明は、上記の実施形態に限定されるものではなく、様々な変形が可能である。
【０１３９】
例えば、上記の実施形態は、処理可能情報の生成に際して、当該処理可能情報において指定する品質のうちの最高品質の特定と、特定された品質よりも低い品質であって、特定された品質よりも高い品質の中で最も上の優先度よりも優先度が上の品質の抽出を行うようにした。これに対して、当該抽出を省略するようにしてもよい。
【０１４０】
また、上記の実施形態では、品質の調停を中断するため、送信装置との間の通信におけるセッションの切断要求情報を採用するようにしたが、セッション層よりも下位層での通信を切断するための切断要求情報を採用するようにしてもよい。
【０１４１】
また、上記の実施形態では、コンテンツ情報処理装置が、表示装置を備えないようにした。これに対し、コンテンツ情報処理装置が、表示装置を備えるようにしてもよい。
【０１４２】
また、上記の実施形態では、「Wi-Fi CERTIFIED Miracast 規格」に規定される通信手順を採用するようにしたが、他の汎用的な通信規格に規定される通信手順を採用するようにしてもよい。
【０１４３】
なお、上記の実施形態におけるコンテンツ情報処理を、中央処理装置（ＣＰＵ：Central Processing Unit）、ＤＳＰ（Digital Signal Processor）等を備えた演算手段としてのコンピュータとして構成し、予め用意されたプログラムを当該コンピュータで実行することにより、これらの要素における処理の一部又は全部を実行するようにしてもよい。これらのプログラムはハードディスク、ＣＤ−ＲＯＭ、ＤＶＤ等のコンピュータで読み取り可能な記録媒体に記録され、当該コンピュータによって記録媒体からロードされて実行される。また、このプログラムは、ＣＤ−ＲＯＭ、ＤＶＤ等の可搬型記録媒体に記録された形態で取得されるようにしてもよいし、インターネットなどのネットワークを介した配信の形態で取得されるようにしてもよい。
【符号の説明】
【０１４４】
１００            …  コンテンツ情報処理装置
１１０            …  記憶部
１３０            …  受信部
１４０            …  送信部
２００            …  送信装置
【図１】
2015103941.tif 000003
【図２】
2015103941.tif 000004
【図３】
2015103941.tif 000005
【図４】
2015103941.tif 000006
【図５】
2015103941.tif 000007
【図６】
2015103941.tif 000008
【図７】
2015103941.tif 000009
【図８】
2015103941.tif 000010
【図９】
2015103941.tif 000011
【図１０】
2015103941.tif 000012
【図１１】
2015103941.tif 000013
【図１２】
2015103941.tif 000014
【図１３】
2015103941.tif 000015